(57)【要約】励起効率の向上および雑音指数の低減を図った遠隔励起を用いた光ファイバ通信システムを提供する。線形中継器（１８）の合波器（２０）は信号光と励起光源（１９）からの励起光とを合波し出力する。出力された信号光および励起光は、伝送ファイバ（２２〜２４）および遠隔励起モジュール（２７Ｆ、２７Ｒ）を通して線形中継器（２５）へ至る。線形中継器（２５）の合波器（３０）は励起光源（２９）からの励起光と信号光を合波し伝送ファイバ（２４）へ出力する。遠隔励起モジュール（２７Ｆ）は、伝送ファイバ（２２）中を伝播する励起光を信号光から分波し、分波した励起光を所望の比率で２分岐する。そして、分岐した励起光を各々、信号光と合波し、エルビウム添加ファイバの両端に加える。モジュール（２７Ｒ）も同様に構成されている。
2005004356.tif 000002
【特許請求の範囲】
【請求項１】
励起光を出力する励起光源と、信号光に前記励起光を合波して出力する合波器とを備えた信号光出力手段と、
前記信号光出力手段から出力された信号光を伝送する複数の伝送ファイバと、
前記伝送ファイバ間に設けられたエルビウム添加ファイバモジュールと、
前記信号光出力手段から出力され、前記伝送ファイバおよびエルビウム添加ファイバモジュールを通過した信号光を受信する信号光受信手段とを有し、
前記エルビウム添加ファイバモジュールは、
前記伝送ファイバ中を信号光と同じ方向に伝播する励起光を信号光から分波する分波器と、
前記分波器により分波された励起光を所望の比率で２分岐する分岐器と、
前記分波器を通過した信号光が入力されるエルビウム添加ファイバと、
前記分岐器により分岐された励起光を各々、信号光と合波し、前記エルビウム添加ファイバの両端に加える第１、第２の合波手段と、
を具備する光ファイバ通信システム。
【請求項２】
信号光を出力する信号光出力手段と、
前記信号光出力手段から出力された信号光を伝送する複数の伝送ファイバと、
前記伝送ファイバ間に設けられたエルビウム添加ファイバモジュールと、
励起光を出力する励起光源と、前記信号光出力手段から出力され、前記伝送ファイバおよびエルビウム添加ファイバモジュールを通過した信号光と前記励起光を合波し、前記励起光を前記信号光と逆方向に出力する合波器とを備えた信号光受信手段とを有し、
前記エルビウム添加ファイバモジュールは、
前記伝送ファイバ中を信号光と逆方向に伝播する励起光を信号光から分波する分波器と、
前記分波器により分波された励起光を所望の比率で２分岐する分岐器と、
前記信号光が入力されるエルビウム添加ファイバと、
前記分岐器により分岐された励起光を各々、信号光と合波し、前記エルビウム添加ファイバの両端に加える第１、第２の合波手段と、
を具備する光ファイバ通信システム。
【請求項３】
励起光を出力する励起光源と、信号光に前記励起光を合波して出力する合波器とを備えた信号光出力手段と、
前記信号光出力手段から出力された信号光を伝送する複数の伝送ファイバと、
前記伝送ファイバ間に設けられたエルビウム添加ファイバモジュールと、
前記信号光出力手段から出力され、前記伝送ファイバおよびエルビウム添加ファイバモジュールを通過した信号光を受信する信号光受信手段とを有し、
前記エルビウム添加ファイバモジュールは、
前記信号光および励起光が入力されるサーキュレータと、
前記サーキュレータを通過した信号光および励起光が入力される第１のエルビウム添加ファイバと、
前記第１のエルビウム添加ファイバを通過した信号光および励起光が入力されるミラーとを有し、
前記ミラーによって反射された信号光および励起光が前記第１のエルビウム添加ファイバおよび前記サーキュレータを通して次段へ出力される光ファイバ通信システム。
【請求項４】
前記サーキュレータの前段に第２のエルビウム添加ファイバを設けた請求項３に記載の光ファイバ通信システム。
【請求項５】
信号光を出力する信号光出力手段と、
前記信号光出力手段から出力された信号光を伝送する複数の伝送ファイバと、
前記伝送ファイバ間に設けられたエルビウム添加ファイバモジュールと、
励起光を出力する励起光源と、前記信号光出力手段から出力され、前記伝送ファイバおよびエルビウム添加ファイバモジュールを通過した信号光と前記励起光を合波し、前記励起光を前記信号光と逆方向に出力する合波器とを備えた信号光受信手段とを有し、
前記エルビウム添加ファイバモジュールは、
前記信号光が入力されるサーキュレータと、
前記励起光を信号光から分波する分波器と、
前記分波器によって分波された励起光を前記サーキュレータから出力された信号光に合波する合波器と、
前記合波器から出力された信号光および励起光が入力される第１のエルビウム添加ファイバと、
前記第１のエルビウム添加ファイバを通過した信号光および励起光が入力されるミラーとを有し、
前記ミラーによって反射された信号光および励起光が前記第１のエルビウム添加ファイバおよび前記サーキュレータを通して次段へ出力される光ファイバ通信システム。
【請求項６】
前記サーキュレータの前段に第２のエルビウム添加ファイバを設け、前記合波器を前記第２のエルビウム添加ファイバの前段に設けた請求項５に記載の光ファイバ通信システム。
【発明の詳細な説明】
【技術分野】  この発明は、光信号の伝送路である敷設光ファイバ中に、線形中継器または端局装置から離して設置した無給電の遠隔励起モジュールによって光信号を増幅する遠隔励起を用いた光ファイバ通信システムに関する。
本願は、２００３年７月４日に出願された特願２００３−２７１１５７号に対して優先権を主張するものであって、その内容をここに援用する。
【背景技術】  波長多重の光ファイバ通信システムで用いられる従来技術の遠隔励起システムの構成例を図８に示す（Ｋ．Ａｉｄａ  ｅｔ  ａｌ．，Ｐｒｏｃ．ｏｆ  ＥＣＯＣ，ＰＤＡ−７，ｐｐ．２９−３２，１９８９、および、Ｎ．Ｏｈｋａｗａ  ｅｔ  ａｌ．，ＩＥＩＣＥ  Ｔｒａｎｓ．Ｃｏｍｍｕｎ．，Ｖｏｌ．Ｅ８１−Ｂ，ｐｐ．５８６−５９６，１９９８参照）。本遠隔励起システムでは、送信器１内の送信回路２から信号光を送出し、その信号光は、３つの伝送ファイバ５〜７を経由して受信器１０内の受信回路１１で受信される。伝送ファイバ５と伝送ファイバ６、および、伝送ファイバ６と伝送ファイバ７の間には、エルビウム添加ファイバ（ＥＤＦ）１３Ｆ、１３Ｒが設置されている。送信器１および受信器１０内には、遠隔励起用の励起光源３および１３が設置され、その励起光源３、１３からの励起光と信号光は、合波器４および１４を用いて合波される。送信器１、受信器１０、および励起光源３、１３は、電源に接続され給電されている。送信器１および受信器１０に隣接した励起光源３、１３を、それぞれ前段励起光源および後段励起光源と呼ぶ。また、それらの励起光源３、１３からの励起光をそれぞれ前方励起光および後方励起光と呼ぶ。前方励起光は伝送ファイバ５を通過後、ＥＤＦ・１３Ｆを励起し、また、後方励起光は伝送ファイバ７を通過後、ＥＤＦ・１３Ｒを励起する。
前記励起光の波長は、ＥＤＦの励起に適した、１．４８μｍ近傍の光である。送信器１を出た信号光は、伝送ファイバ５で減衰した後、ＥＤＦ・１３Ｆで増幅され、さらに、伝送ファイバ６で減衰した後、ＥＤＦ・１３Ｒで増幅され、伝送ファイバ７を通過後、受信器１０に達する。したがって、伝送ファイバ５、伝送ファイバ６、伝送ファイバ７を合わせた距離を、途中で給電することなく無中継で伝送することができる。遠隔励起されたＥＤＦ・１３Ｆ、１３Ｒを用いない中継系に比べ、無中継距離すなわち中継間隔が大幅に伸長される点が、本遠隔励起の利点である。ただし、前方励起光源３とＥＤＦ・１３Ｆ、または後方励起光源１３とＥＤＦ・１３Ｒのいずれか一方のみを用いた構成を採用することもできる。また、一般に、励起光が伝搬する伝送ファイバ中では、信号光のラマン増幅が行われるため、ある程度の分布的な利得（ラマン利得）が付加される。
図８の従来技術の遠隔励起システムでは、信号光の利得波長域はＥＤＦＡのＣ帯（１５３０−１５６０ｎｍ）に設定されているため、ＥＤＦ・１３ＦおよびＥＤＦ・１３Ｒに達した励起光は、ＥＤＦ・１３ＦおよびＥＤＦ・１３Ｒの励起光入力端から反対側の励起光出力端に突き抜け、ＥＤＦ・１３ＦおよびＥＤＦ・１３Ｒを全ファイバ長に渡って励起する。
ところが、信号光の利得波長域をＥＤＦＡのＬ帯（１５７０−１６００ｎｍ）に設定した場合には、ＥＤＦ・１３ＦおよびＥＤＦ・１３Ｒに達した励起光は、ＥＤＦ・１３ＦおよびＥＤＦ・１３Ｒの励起光入力端付近を励起するのみで、反対側の励起光出力端にはほとんど突き抜けないことが分かった。これは、Ｌ帯用のＥＤＦがＣ帯用のＥＤＦに比べて数倍長いので、励起光が入力端の近傍にしか届かないためである。また、励起光入力端付近以外の励起されない部分では吸収となってしまう。そのため、ＥＤＦ・１３ＦおよびＥＤＦ・１３Ｒの励起効率の低減および雑音指数の増大が生じるという欠点がある。ちなみに、このＬ帯はＣ帯と同様に、重要な信号光利得波長域である。特に、分散シフトファイバ（ＤＳＦ）を用いたシステムでは、Ｃ帯で問題となる４光波混合を回避できるため、Ｌ帯は重要な信号光利得波長域である。
【発明の開示】
本発明は上記事情を考慮してなされたもので、その目的は、励起効率の向上および雑音指数の低減を図った遠隔励起を用いた光ファイバ通信システムを提供することにある。
この発明は上記の課題を解決するためになされたもので、本発明の第１の態様は、励起光を出力する励起光源と、信号光に前記励起光を合波して出力する合波器とを備えた信号光出力手段と、前記信号光出力手段から出力された信号光を伝送する複数の伝送ファイバと、前記伝送ファイバ間に設けられたエルビウム添加ファイバモジュールと、前記信号光出力手段から出力され、前記伝送ファイバおよびエルビウム添加ファイバモジュールを通過した信号光を受信する信号光受信手段とを有し、前記エルビウム添加ファイバモジュールは、前記伝送ファイバ中を信号光と同じ方向に伝播する励起光を信号光から分波する分波器と、前記分波器により分波された励起光を所望の比率で２分岐する分岐器と、前記分波器を通過した信号光が入力されるエルビウム添加ファイバと、前記分岐器により分岐された励起光を各々、信号光と合波し、前記エルビウム添加ファイバの両端に加える第１、第２の合波手段とを具備する光ファイバ通信システムである。
本発明の第２の態様は、信号光を出力する信号光出力手段と、前記信号光出力手段から出力された信号光を伝送する複数の伝送ファイバと、前記伝送ファイバ間に設けられたエルビウム添加ファイバモジュールと、励起光を出力する励起光源と、前記信号光出力手段から出力され、前記伝送ファイバおよびエルビウム添加ファイバモジュールを通過した信号光と前記励起光を合波し、前記励起光を前記信号光と逆方向に出力する合波器とを備えた信号光受信手段とを有し、前記エルビウム添加ファイバモジュールは、前記伝送ファイバ中を信号光と逆方向に伝播する励起光を信号光から分波する分波器と、前記分波器により分波された励起光を所望の比率で２分岐する分岐器と、前記信号光が入力されるエルビウム添加ファイバと、前記分岐器により分岐された励起光を各々、信号光と合波し、前記エルビウム添加ファイバの両端に加える第１、第２の合波手段とを具備する光ファイバ通信システムである。
本発明の第３の態様は、励起光を出力する励起光源と、信号光に前記励起光を合波して出力する合波器とを備えた信号光出力手段と、前記信号光出力手段から出力された信号光を伝送する複数の伝送ファイバと、前記伝送ファイバ間に設けられたエルビウム添加ファイバモジュールと、前記信号光出力手段から出力され、前記伝送ファイバおよびエルビウム添加ファイバモジュールを通過した信号光を受信する信号光受信手段とを有し、前記エルビウム添加ファイバモジュールは、前記信号光および励起光が入力されるサーキュレータと、前記サーキュレータを通過した信号光および励起光が入力される第１のエルビウム添加ファイバと、前記第１のエルビウム添加ファイバを通過した信号光および励起光が入力されるミラーとを有し、前記ミラーによって反射された信号光および励起光が前記第１のエルビウム添加ファイバおよび前記サーキュレータを通して次段へ出力される光ファイバ通信システムである。
本発明の第３の態様において、前記サーキュレータの前段に第２のエルビウム添加ファイバを設けても良い。
本発明の第４の態様は、信号光を出力する信号光出力手段と、前記信号光出力手段から出力された信号光を伝送する複数の伝送ファイバと、前記伝送ファイバ間に設けられたエルビウム添加ファイバモジュールと、励起光を出力する励起光源と、前記信号光出力手段から出力され、前記伝送ファイバおよびエルビウム添加ファイバモジュールを通過した信号光と前記励起光を合波し、前記励起光を前記信号光と逆方向に出力する合波器とを備えた信号光受信手段とを有し、前記エルビウム添加ファイバモジュールは、前記信号光が入力されるサーキュレータと、前記励起光を信号光から分波する分波器と、前記分波器によって分波された励起光を前記サーキュレータから出力された信号光に合波する合波器と、前記合波器から出力された信号光および励起光が入力される第１のエルビウム添加ファイバと、前記第１のエルビウム添加ファイバを通過した信号光および励起光が入力されるミラーとを有し、前記ミラーによって反射された信号光および励起光が前記第１のエルビウム添加ファイバおよび前記サーキュレータを通して次段へ出力される光ファイバ通信システムである。
本発明の第４の態様において、前記サーキュレータの前段に第２のエルビウム添加ファイバを設け、前記合波器を前記第２のエルビウム添加ファイバの前段に設けても良い。
この発明によれば、エルビウム添加ファイバの両端から励起光を入射するようにしたので、従来のものに比較し、遠隔励起モジュールの励起効率を向上させることができると共に、雑音指数を低減させることができる効果が得られる。なお、本発明は信号光の利得波長域をＥＤＦＡのＬ帯に設定した場合に特に有用である。しかし、本発明はＬ帯への適用に限定されるものではなく、信号光の利得波長域を例えばＥＤＦＡのＣ帯に設定した場合にも効果がある。
【図面の簡単な説明】  図１は、この発明の第１の実施形態による光ファイバ通信システムの構成を示すブロック図である。
図２は、同実施形態における遠隔励起モジュール２７Ｆの構成を示すブロック図である。
図３は、同実施形態における遠隔励起モジュール２７Ｒの構成を示すブロック図である。
図４は、この発明の第２の実施形態による光ファイバ通信システムにおける遠隔励起モジュール５０Ｆの構成を示すブロック図である。
図５は、同実施形態における遠隔励起モジュール５０Ｒの構成を示すブロック図である。
図６は、この発明の第３の実施形態による光ファイバ通信システムにおける遠隔励起モジュール７０Ｆの構成を示すブロック図である。
図７は、同実施形態における遠隔励起モジュール７０Ｒの構成を示すブロック図である。
図８は、従来の光ファイバ通信システムの構成を示すブロック図である。
【発明を実施するための最良の形態】  以下、図面を参照し、この発明の実施の形態について説明する。図１はこの発明の第１の実施形態による光ファイバ通信システムの構成を示すブロック図である。この図において、１８は線形中継器であり、励起光を発生する励起光源１９と、励起光と信号光を合波して出力する合波器２０と、マルチパス干渉雑音低減のために設けたアイソレータ２１とから構成されている。この線形中継器１８から出射された信号光は、伝送ファイバ２２〜２４を通過して下流の線形中継器２５に達する。また、伝送ファイバ２２と２３の間に遠隔励起モジュール２７Ｆが、伝送ファイバ２３と２４の間に遠隔励起モジュール２７Ｒが各々設置されている。線形中継器２５は励起光を発生する励起光源２９と、励起光と信号光を合波する合波器３０と、アイソレータ３１とから構成されている。
通常の線形中継システムでは、線形中継器内に光増幅器が設置されるが、本実施形態では、線形中継器内に光増幅器を設置していない。すなわち、遠隔励起モジュール２７Ｆ、２７Ｒの利得、また、伝送ファイバ２２と２４内での分布ラマン利得の和が十分大きく、伝送ファイバ２２〜２４の損失和を補っている。なお、線形中継器１８を送信器、線形中継器２５を受信器としてもよい。すなわち、線形中継器または送信器が信号光を出力する信号光出力手段であり、線形中継器または受信器が信号光を受信する信号光受信手段である。
図２は遠隔励起モジュール２７Ｆの構成を示す図である。この遠隔励起モジュール２７Ｆにおいては、信号光と同じ方向に共伝播した励起光を、分波器３４で信号光と分波し、その分波した励起光を、分岐ファイバカプラ（ＦＣ）３５で所望の分岐比で分岐する。ここでは、その分岐比を１対２としている。分岐ファイバカプラ３５により分岐された、３３％の励起光は分岐ファイバカプラ３５に隣接した合波器３６で信号光と合波され、ＥＤＦ・３７に前方向から入射される。一方、分岐ファイバカプラ３５で分岐された６７％の励起光は、分岐ファイバカプラ３５に隣接した可変減衰器（ＡＴＴ）３８で適宜減衰され、その可変減衰器３８に隣接したサーキュレータ（ＣＩＲ）３９により、ＥＤＦ・３７の後方向からＥＤＦ・３７に入射される。
なお、サーキュレータ３９の代わりに光カプラを用いても良いが、サーキュレータを用いるのがより好ましい。すなわち、サーキュレータは光カプラの機能およびアイソレータの機能を具備しており、アイソレータとしての機能が残留反射で戻ってきた戻り光を遮断するため、戻り光を遮断しないとした場合に生じるマルチパス干渉雑音を除去することができる。なお、これはこれ以後に説明するアイソレータについても同様である。
図３は遠隔励起モジュール２７Ｒの構成を示す図である。この遠隔励起モジュール２７Ｒにおいては、信号光と逆方向からモジュールに達した励起光を、分波器４１で信号光と分波し、その分波した励起光を、分岐ファイバカプラ４２で所望の分岐比で分岐する。ここでは、その分岐比を１対２としている。分岐ファイバカプラ４２により分岐された、６７％の励起光は分岐ファイバカプラ４２に隣接した合波器４３で信号光と合波され、ＥＤＦ・４５に前方向から入射される。一方、分岐ファイバカプラ４２で分岐された３３％の励起光は、分岐ファイバカプラ４２に隣接した可変減衰器４６で適宜減衰され、可変減衰器４６に隣接したサーキュレータ４７により、ＥＤＦ・４５の後方向から入射される。
上記の遠隔励起モジュール２７Ｆ、２７Ｒの構成によれば、ＥＤＦ・３７、４５が所望の分配比で双方向から励起されるため、従来技術に比べ、ＥＤＦ・３７、４５の励起効率が高くなり、雑音指数も低くなるという効果が得られる。
なお、可変減衰器３８，可変減衰器４６は、それぞれＥＤＦ・３７，ＥＤＦ・４５を所望の分配比で励起する目的で、遠隔励起モジュールごとの分配比の調整に用いるものである。したがって、分配比があらかじめ分かっている場合には可変減衰器３８，可変減衰器４６を省略することができる。
また、上述した分配比６７％対３３％は一例であって、上記所望の分配比は遠隔励起モジュールの励起効率と雑音特性を考慮して決められるものである。これら励起効率および雑音特性は、いずれも光ファイバ通信システムの雑音性能を決定するパラメータの一部である。具体的には、信号光の入力方向，出力方向をそれぞれ前方向，後方向としたとき、前方向と後方向の分配比に関して、前方向の割合が大きいほど遠隔励起モジュールの雑音特性が良く、後方向の割合が大きいほど遠隔モジュールの励起効率が良いことが分かった。
このように可変減衰器３８，可変減衰器４６を設けることで、遠隔励起モジュール毎に分配比を調整できるため、遠隔励起モジュールとしては単品種のものを用意すれば良いという利点がある。
次に、この発明の第２の実施形態について説明する。
この第２の実施形態のシステム構成は図１と同じであり、遠隔励起モジュール２７Ｆ、２７Ｒの構成が異なっている。図４は図１における伝送ファイバ２２、２３間に挿入される遠隔励起モジュール５０Ｆの構成を示す図、図５は伝送ファイバ２３、２４間に挿入される遠隔励起モジュール５０Ｒの構成を示す図である。
図４に示す遠隔励起モジュール５０Ｆにおいて、信号光および励起光は、サーキュレータ５１の第１および第２のポートを経て、ＥＤＦ・５２に入射し、ＥＤＦ・５２を通過後、ミラー５３で反射され、再びＥＤＦ・５２を先ほどとは逆方向に通過する。その後、信号光および励起光は、サーキュレータ５１の第３のポートを通り、本モジュールから出力される。
また、図５に示す遠隔励起モジュール５０Ｒにおいて、信号光と逆方向からモジュールに達した励起光は、分波器５５で信号光と分波され、その分波された励起光が、ＥＤＦ・５６に隣接した合波器５７に入力される。また、信号光はサーキュレータ５８の第２ポートを経て合波器５７において上述した励起光と合波される。そして、合波器５７から出力された信号光および励起光は、ＥＤＦ・５６に入射され、ＥＤＦ・５６を通過後、ミラー５９で反射され、再びＥＤＦ・５６を先ほどとは逆方向に通過する。その後、サーキュレータ５６の第３ポートを経て、分波器５５を介して本モジュールから出力される。
上記の遠隔励起モジュール５０Ｆおよび５０Ｒの構成によれば、前述した第１の実施形態に比べ、少ない部品数でモジュールを構成できる。また、励起効率の高い信号光のダブルパス型の構成を採用しているため、第１の実施形態と同等以上の高い励起効率を得ることができる。
次に、この発明の第３の実施形態について説明する。
この第３の実施形態のシステム構成も図１と同じであり、遠隔励起モジュール２７Ｆ、２７Ｒの構成が異なっている。図６は図１における伝送ファイバ２２、２３間に挿入される遠隔励起モジュール７０Ｆの構成を示す図、図７は伝送ファイバ２３、２４間に挿入される遠隔励起モジュール７０Ｒの構成を示す図である。
図６に示す遠隔励起モジュール７０Ｆが、第２の実施形態のモジュール５０Ｆ（図４）と異なる点は、サーキュレータ５１の前段にＥＤＦ・７１が設けられ、ＥＤＦ・５２による増幅に先んじて信号光を増幅するようになっている点である。
また、図７に示す遠隔励起モジュール７０Ｒが、第２の実施形態のモジュール５０Ｒ（図５）と異なる点は、サーキュレータ５８の前段にＥＤＦ・７２が設けられ、ＥＤＦ・５６による増幅に先んじて信号光を増幅するようになっている点である。但し、この場合、ＥＤＦ７２の前に合波器５７が設けられ、励起光はこの合波器５７によって信号光に合波される。そして、合波された信号光および励起光が、ＥＤＦ・７２、５６へ出力され、ミラー５９において反射され、サーキュレータ５８、分波器５５を介してモジュールから出力される。
なお、本実施形態におけるＥＤＦ・５２の長さは、ＥＤＦ・７１の長さ分、第２の実施形態のＥＤＦ・５２の長さよりも短くしても良い。同様に、本実施形態におけるＥＤＦ・５６の長さは、ＥＤＦ・７２の長さ分、第２の実施形態のＥＤＦ・５６の長さよりも短くしても良い。
前述したサーキュレータおよびミラーを用いた第２の実施形態のいわゆるダブルパス型のＥＤＦモジュールは、サーキュレータに隣接したＥＤＦの信号光入力端と出力端が一致するため、モジュールの雑音指数が増加するという欠点がある。すなわち、信号光が増幅されることで信号光のパワーが励起光と同程度にまで大きくなるため、反転分布のパラメータが劣化して雑音が大きくなる。一方、本第３の実施形態においては、ＥＤＦ・７１、７２が前段増幅によりＥＤＦ・５２、５６における雑音指数増加を抑圧する。その結果、この第３の実施形態によれば、第２の実施形態に比べより低い雑音指数を得ることができる。
以上、本発明の実施形態を説明してきたが、本発明はこれら実施形態に限定されるものではなく、本発明の趣旨を逸脱しない範囲で、構成の付加、省略、置換、およびその他の変更が可能である。
産業上の利用の可能性
本発明は、線形中継器または端局装置から離して設置された無給電の遠隔励起モジュールによる遠隔励起によって光信号を増幅する光ファイバ通信システムに利用される。本発明は、信号光の利得波長域がＥＤＦＡのＬ帯に設定されたシステムへ適用した場合に特に有用であり、例えば、ＥＤＦＡのＣ帯で問題となる４光波混合を回避できるＤＳＦを用いたシステムに好適である。本発明によれば、エルビウム添加ファイバの両端から励起光を入射させることで、遠隔励起モジュールの励起効率の向上および雑音指数の低減を図ることができる。
【図１】
2005004356.tif 000003
【図２】
2005004356.tif 000004
【図３】
2005004356.tif 000005
【図４】
2005004356.tif 000006
【図５】
2005004356.tif 000007
【図６】
2005004356.tif 000008
【図７】
2005004356.tif 000009
【図８】
2005004356.tif 000010
【国際調査報告】
2005004356.tif 000011
2005004356.tif 000012
2005004356.tif 000013
2005004356.tif 000014